【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
カスタム化粧品調合を決定する方法であって、前記方法は、
既知の光および色特性を用いて、皮膚領域の画像を捕捉するようにユーザを誘導することと、
較正された皮膚色情報を提供するように前記画像を処理することと、
前記較正された皮膚色情報に基づいて、前記ユーザのためにカスタム化粧品調合を自動的に決定することと
を含む、方法。
【請求項２】
前記皮膚領域画像は、画像センサを含むデバイスから受信される、請求項１に記載の方法。
【請求項３】
前記デバイスの画像センサを使用した複数の皮膚領域画像の捕捉を通じて前記ユーザを相互作用的に誘導することをさらに含む、請求項２に記載の方法。
【請求項４】
前記デバイスの画像センサを使用したマーカーの画像の捕捉を通じて前記ユーザを相互作用的に誘導することをさらに含み、前記皮膚領域画像は、前記捕捉されたマーカー画像に少なくとも部分的に基づいて、処理される、請求項２に記載の方法。
【請求項５】
前記デバイスは、携帯電話、タブレット、デジタルカメラ、ウェブカメラ、スマートグラス、テレビ、およびゲーム機から成る群から選択される、請求項２に記載の方法。
【請求項６】
前記皮膚領域画像は、前記デバイスおよび前記画像センサのうちの少なくとも１つの特性を識別する埋め込み型データを含み、さらに、前記皮膚領域画像は、前記埋め込み型データに少なくとも部分的に基づいて、処理される、請求項２に記載の方法。
【請求項７】
前記カスタム化粧品調合を自動的に決定することは、前記較正された皮膚色情報を参照ユーザに合致させることを含み、前記参照ユーザは、前記参照ユーザと関連付けられた事前に決定された化粧品調合を有する、請求項１に記載の方法。
【請求項８】
前記カスタム化粧品調合の自動決定は、化粧品成分に対するアレルギーのユーザによる指示に少なくとも部分的に基づく、請求項１に記載の方法。
【請求項９】
前記カスタム化粧品調合に基づいて、外用剤を混ぜ合わせることをさらに含む、請求項１に記載の方法。
【請求項１０】
前記外用剤を前記ユーザに送達することをさらに含む、請求項９に記載の方法。
【請求項１１】
前記ユーザが前記カスタム化粧品調合に基づいて混ぜ合わせられた外用剤を購入することを可能にすることをさらに含む、請求項１に記載の方法。
【請求項１２】
前記皮膚領域は、前記ユーザの顔領域を含む、請求項１に記載の方法。
【請求項１３】
カスタム化粧品調合を決定するためのシステムであって、前記システムは、
コンピュータ実行可能命令を記憶するためのメモリと、前記メモリ内に記憶された前記命令を実行するための処理ユニットとを備える少なくとも１つのコンピュータを備え、前記命令の実行は、
既知の光および色特性を用いて、皮膚領域の画像を捕捉するようにユーザを誘導することと、
較正された皮膚色情報を提供するように前記画像を処理することと、
前記較正された皮膚色情報に基づいて、前記ユーザのためにカスタム化粧品調合を自動的に決定することと
を含む動作を実施するように前記コンピュータを構成する、システム。
【請求項１４】
前記皮膚領域画像は、画像センサを備えるデバイスから受信される、請求項１３に記載のシステム。
【請求項１５】
前記動作はさらに、前記デバイスの画像センサを使用した複数の皮膚領域画像の捕捉を通じて前記ユーザを相互作用的に誘導することを含む、請求項１４に記載のシステム。
【請求項１６】
前記動作はさらに、前記デバイスの画像センサを使用したマーカーの画像の捕捉を通じて前記ユーザを相互作用的に誘導することを含み、さらに、前記皮膚領域画像は、前記捕捉されたマーカー画像に少なくとも部分的に基づいて、処理される、請求項１４に記載のシステム。
【請求項１７】
前記デバイスは、携帯電話、タブレット、デジタルカメラ、ウェブカメラ、スマートグラス、テレビ、およびゲーム機から成る群から選択される、請求項１４に記載のシステム。
【請求項１８】
前記皮膚領域画像は、前記デバイスおよび前記画像センサのうちの少なくとも１つの特性を識別する埋め込み型データを備え、さらに、前記皮膚領域画像は、前記埋め込み型データに少なくとも部分的に基づいて、処理される、請求項１４に記載のシステム。
【請求項１９】
前記カスタム化粧品調合を自動的に決定することは、前記較正された皮膚色情報を参照ユーザに合致させることを含み、前記参照ユーザは、前記参照ユーザと関連付けられた事前に決定された化粧品調合を有する、請求項１３に記載のシステム。
【請求項２０】
前記カスタム化粧品調合の自動決定は、化粧品成分に対するアレルギーのユーザによる指示に少なくとも部分的に基づく、請求項１３に記載のシステム。
【請求項２１】
前記動作はさらに、前記ユーザが前記カスタム化粧品調合に基づいて混ぜ合わせられた外用剤を購入することを可能にすることを含む、請求項１３に記載のシステム。
【請求項２２】
前記皮膚領域は、前記ユーザの顔領域を備える、請求項１３に記載のシステム。
【請求項２３】
カスタム化粧品調合を決定する方法であって、前記方法は、
画像センサを有するデバイスを使用した１つまたは複数の画像の捕捉を通じてユーザを相互作用的に誘導することであって、各画像は、前記ユーザの皮膚領域を含む、ことと、
較正された皮膚色情報を提供するように前記皮膚領域画像を処理することと、
前記較正された皮膚色情報をグランドトゥルースデータセットと比較することにより、前記グランドトゥルースデータセットにおける最も近い既知の値のセットを識別することと、
前記比較に基づいて、前記ユーザのためにカスタム化粧品調合を自動的に決定することであって、前記カスタム化粧品調合は、
（ｉ）前記最も近い既知の値のセットに対する、較正された皮膚色情報の相対的近接性に基づいて導出される一意の化合物と、
（ｉｉ）既存の化粧品製品と
のうちの少なくとも１つを含む、ことと
を含む、方法。
【請求項２４】
前記皮膚領域画像を処理することは、前記皮膚領域画像のうちの少なくとも１つに対して、
前記少なくとも１つの皮膚領域画像内の複数の顔領域を検出することと、
皮膚の色合いに基づいて、前記顔領域を区画化することと、
皮膚の色合い、影、および鏡面ハイライトのうちの少なくとも１つに基づいて、色を各顔領域区画に割り当てることと
を含む、請求項２３に記載の方法。
【請求項２５】
前記皮膚領域画像のうちの少なくとも１つと関連付けられる周辺光情報を受信することをさらに含み、前記少なくとも１つの皮膚領域画像は、前記周辺光情報に少なくとも部分的に基づいて、処理される、請求項２３に記載の方法。
【請求項２６】
前記デバイスの画像センサを使用したマーカーの画像の捕捉を通じて前記ユーザを相互作用的に誘導することをさらに備え、前記皮膚領域画像は、前記マーカー画像に少なくとも部分的に基づいて、処理される、請求項２３に記載の方法。
【請求項２７】
前記マーカー画像の捕捉の成功に基づいて、前記デバイスの画像センサの現在の設定を記憶することをさらに含む、請求項２６に記載の方法。
【請求項２８】
前記デバイスの画像センサ設定は、露光、集点、およびホワイトバランスのうちの少なくとも１つを含む、請求項２７に記載の方法。
【請求項２９】
前記皮膚領域画像は、前記記憶された画像センサ設定に基づいて、処理される、請求項２７に記載の方法。
【請求項３０】
前記皮膚領域画像を処理することは、未知の光源を補償することを含む、請求項２３に記載の方法。
【請求項３１】
前記皮膚領域は、手首、前額、左頬、右頬、および顔全体から成る群から選択される、請求項２３に記載の方法。
【請求項３２】
前記ユーザが前記既存の化粧品製品を購入することを可能にすることをさらに含む、請求項２３に記載の方法。
【請求項３３】
前記デバイスは、携帯電話、タブレット、デジタルカメラ、ウェブカメラ、スマートグラス、テレビ、およびゲーム機から成る群から選択される、請求項２３に記載の方法。
【請求項３４】
カスタム化粧品調合を決定するためのシステムであって、前記システムは、
コンピュータ実行可能命令を記憶するためのメモリと、前記メモリ内に記憶された前記命令を実行するための処理ユニットとを備える少なくとも１つのコンピュータを備え、前記命令の実行は、
画像センサを有するデバイスを使用した１つまたは複数の画像の捕捉を通じてユーザを相互作用的に誘導することであって、各画像は、前記ユーザの皮膚領域を含む、ことと、
較正された皮膚色情報を提供するように前記皮膚領域画像を処理することと、
前記較正された皮膚色情報をグランドトゥルースデータセットと比較することにより、前記グランドトゥルースデータセットにおける最も近い既知の値のセットを識別することと、
前記比較に基づいて、前記ユーザのためにカスタム化粧品調合を自動的に決定することであって、前記カスタム化粧品調合は、
（ｉ）前記最も近い既知の値のセットに対する、較正された皮膚色情報の相対的近接性に基づいて導出される一意の化合物と、
（ｉｉ）既存の化粧品製品と
のうちの少なくとも１つを備える、ことと
を含む動作を実施するように前記コンピュータを構成する、システム。
【請求項３５】
前記皮膚領域画像を処理することは、前記皮膚領域画像のうちの少なくとも１つに対して、
前記少なくとも１つの皮膚領域画像内の複数の顔領域を検出することと、
皮膚の色合いに基づいて、前記顔領域を区画化することと、
皮膚の色合い、影、および鏡面ハイライトのうちの少なくとも１つに基づいて、色を各顔領域区画に割り当てることと
を含む、請求項３４に記載のシステム。
【請求項３６】
前記動作はさらに、前記皮膚領域画像のうちの少なくとも１つと関連付けられる周辺光情報を受信することを含み、さらに、前記少なくとも１つの皮膚領域画像は、前記周辺光情報に少なくとも部分的に基づいて、処理される、請求項３４に記載のシステム。
【請求項３７】
前記動作はさらに、前記デバイスの画像センサを使用したマーカーの画像の捕捉を通じて前記ユーザを相互作用的に誘導することを含み、前記皮膚領域画像は、前記マーカー画像に少なくとも部分的に基づいて、処理される、請求項３４に記載のシステム。
【請求項３８】
前記動作はさらに、前記マーカー画像の捕捉の成功に基づいて、前記デバイスの画像センサの現在の設定を記憶することを含む、請求項３７に記載のシステム。
【請求項３９】
前記デバイスの画像センサ設定は、露光、集点、およびホワイトバランスのうちの少なくとも１つを含む、請求項３８に記載のシステム。
【請求項４０】
前記皮膚領域画像は、前記記憶された画像センサ設定に基づいて、処理される、請求項３８に記載のシステム。
【請求項４１】
前記皮膚領域画像を処理することは、未知の光源を補償することを含む、請求項３４に記載のシステム。
【請求項４２】
前記皮膚領域は、手首、前額、左頬、右頬、および顔全体から成る群から選択される、請求項３４に記載のシステム。
【請求項４３】
前記動作はさらに、前記ユーザが前記既存の化粧品製品を購入することを可能にすることを含む、請求項３４に記載のシステム。
【請求項４４】
前記デバイスは、携帯電話、タブレット、デジタルカメラ、ウェブカメラ、スマートグラス、テレビ、およびゲーム機から成る群から選択される、請求項３４に記載のシステム。
【手続補正２】
【補正対象書類名】明細書
【補正対象項目名】００３４
【補正方法】変更
【補正の内容】
【００３４】
本発明の他の側面および利点は、実施例にすぎず、それらの全てが本発明の原理を例証する、以下の図面、詳細な説明、および請求項から明白になるであろう。
本発明は、例えば、以下を提供する。
（項目１）
カスタム化粧品調合を決定する方法であって、前記方法は、
既知の光および色特性を用いて、皮膚領域の画像を捕捉するようにユーザを誘導することと、
較正された皮膚色情報を提供するように前記画像を処理することと、
前記較正された皮膚色情報に基づいて、前記ユーザのためにカスタム化粧品調合を自動的に決定することと
を含む、方法。
（項目２）
前記皮膚領域画像は、画像センサを含むデバイスから受信される、項目１に記載の方法。
（項目３）
前記デバイスの画像センサを使用して、複数の皮膚領域画像の捕捉を通じて前記ユーザを相互作用的に誘導することをさらに含む、項目２に記載の方法。
（項目４）
前記デバイスの画像センサを使用して、マーカーの画像の捕捉を通じて前記ユーザを相互作用的に誘導することをさらに含み、前記皮膚領域画像は、前記捕捉されたマーカー画像に少なくとも部分的に基づいて、処理される、項目２に記載の方法。
（項目５）
前記デバイスは、携帯電話、タブレット、デジタルカメラ、ウェブカメラ、スマートグラス、テレビ、およびゲーム機から成る群から選択される、項目２に記載の方法。
（項目６）
前記皮膚領域画像は、前記デバイスおよび前記画像センサのうちの少なくとも１つの特性を識別する埋め込み型データを含み、さらに、前記皮膚領域画像は、前記埋め込み型データに少なくとも部分的に基づいて、処理される、項目２に記載の方法。
（項目７）
前記カスタム化粧品調合を自動的に決定することは、前記較正された皮膚色情報を参照ユーザに合致させることを含み、前記参照ユーザは、前記参照ユーザと関連付けられた事前に決定された化粧品調合を有する、項目１に記載の方法。
（項目８）
前記カスタム化粧品調合の自動決定は、化粧品成分に対するアレルギーのユーザによる指示に少なくとも部分的に基づく、項目１に記載の方法。
（項目９）
前記カスタム化粧品調合に基づいて、外用剤を混ぜ合わせることをさらに含む、項目１に記載の方法。
（項目１０）
前記外用剤を前記ユーザに送達することをさらに含む、項目９に記載の方法。
（項目１１）
前記ユーザが前記カスタム化粧品調合に基づいて混ぜ合わせられた外用剤を購入することを可能にすることをさらに含む、項目１に記載の方法。
（項目１２）
前記皮膚領域は、前記ユーザの顔領域を含む、項目１に記載の方法。
（項目１３）
カスタム化粧品調合を決定するためのシステムであって、前記システムは、
コンピュータ実行可能命令を記憶するためのメモリと、前記メモリ内に記憶された前記命令を実行するための処理ユニットとを備える少なくとも１つのコンピュータを備え、前記命令の実行は、
既知の光および色特性を用いて、皮膚領域の画像を捕捉するようにユーザを誘導することと、
較正された皮膚色情報を提供するように前記画像を処理することと、
前記較正された皮膚色情報に基づいて、前記ユーザのためにカスタム化粧品調合を自動的に決定することと
を含む動作を実施するように前記コンピュータを構成する、システム。
（項目１４）
前記皮膚領域画像は、画像センサを備えるデバイスから受信される、項目１３に記載のシステム。
（項目１５）
前記動作はさらに、前記デバイスの画像センサを使用して、複数の皮膚領域画像の捕捉を通じて前記ユーザを相互作用的に誘導することを含む、項目１４に記載のシステム。
（項目１６）
前記動作はさらに、前記デバイスの画像センサを使用して、マーカーの画像の捕捉を通じて前記ユーザを相互作用的に誘導することを含み、さらに、前記皮膚領域画像は、前記捕捉されたマーカー画像に少なくとも部分的に基づいて、処理される、項目１４に記載のシステム。
（項目１７）
前記デバイスは、携帯電話、タブレット、デジタルカメラ、ウェブカメラ、スマートグラス、テレビ、およびゲーム機から成る群から選択される、項目１４に記載のシステム。
（項目１８）
前記皮膚領域画像は、前記デバイスおよび前記画像センサのうちの少なくとも１つの特性を識別する埋め込み型データを備え、さらに、前記皮膚領域画像は、前記埋め込み型データに少なくとも部分的に基づいて、処理される、項目１４に記載のシステム。
（項目１９）
前記カスタム化粧品調合を自動的に決定することは、前記較正された皮膚色情報を参照ユーザに合致させることを含み、前記参照ユーザは、前記参照ユーザと関連付けられた事前に決定された化粧品調合を有する、項目１３に記載のシステム。
（項目２０）
前記カスタム化粧品調合の自動決定は、化粧品成分に対するアレルギーのユーザによる指示に少なくとも部分的に基づく、項目１３に記載のシステム。
（項目２１）
前記動作はさらに、前記ユーザが前記カスタム化粧品調合に基づいて混ぜ合わせられた外用剤を購入することを可能にすることを含む、項目１３に記載のシステム。
（項目２２）
前記皮膚領域は、前記ユーザの顔領域を備える、項目１３に記載のシステム。
（項目２３）
カスタム化粧品調合を決定する方法であって、前記方法は、
画像センサを有するデバイスを使用して、１つまたは複数の画像の捕捉を通じてユーザを相互作用的に誘導することであって、各画像は、前記ユーザの皮膚領域を含む、ことと、
較正された皮膚色情報を提供するように前記皮膚領域画像を処理することと、
前記較正された皮膚色情報をグランドトゥルースデータセットと比較することにより、前記グランドトゥルースデータセットにおける最も近い既知の値のセットを識別することと、
前記比較に基づいて、前記ユーザのためにカスタム化粧品調合を自動的に決定することであって、前記カスタム化粧品調合は、
（ｉ）前記最も近い既知の値のセットに対する、較正された皮膚色情報の相対的近接性に基づいて導出される一意の化合物と、
（ｉｉ）既存の化粧品製品と
のうちの少なくとも１つを含む、ことと
を含む、方法。
（項目２４）
前記皮膚領域画像を処理することは、前記皮膚領域画像のうちの少なくとも１つに対して、
前記少なくとも１つの皮膚領域画像内の複数の顔領域を検出することと、
皮膚の色合いに基づいて、前記顔領域を区画化することと、
皮膚の色合い、影、および鏡面ハイライトのうちの少なくとも１つに基づいて、色を各顔領域区画に割り当てることと
を含む、項目２３に記載の方法。
（項目２５）
前記皮膚領域画像のうちの少なくとも１つと関連付けられる周辺光情報を受信することをさらに含み、前記少なくとも１つの皮膚領域画像は、前記周辺光情報に少なくとも部分的に基づいて、処理される、項目２３に記載の方法。
（項目２６）
前記デバイスの画像センサを使用して、マーカーの画像の捕捉を通じて前記ユーザを相互作用的に誘導することをさらに備え、前記皮膚領域画像は、前記マーカー画像に少なくとも部分的に基づいて、処理される、項目２３に記載の方法。
（項目２７）
前記マーカー画像の捕捉の成功に基づいて、前記デバイスの画像センサの現在の設定を記憶することをさらに含む、項目２６に記載の方法。
（項目２８）
前記デバイスの画像センサ設定は、露光、集点、およびホワイトバランスのうちの少なくとも１つを含む、項目２７に記載の方法。
（項目２９）
前記皮膚領域画像は、前記記憶された画像センサ設定に基づいて、処理される、項目２７に記載の方法。
（項目３０）
前記皮膚領域画像を処理することは、未知の光源を補償することを含む、項目２３に記載の方法。
（項目３１）
前記皮膚領域は、手首、前額、左頬、右頬、および顔全体から成る群から選択される、項目２３に記載の方法。
（項目３２）
前記ユーザが前記既存の化粧品製品を購入することを可能にすることをさらに含む、項目２３に記載の方法。
（項目３３）
前記デバイスは、携帯電話、タブレット、デジタルカメラ、ウェブカメラ、スマートグラス、テレビ、およびゲーム機から成る群から選択される、項目２３に記載の方法。
（項目３４）
カスタム化粧品調合を決定するためのシステムであって、前記システムは、
コンピュータ実行可能命令を記憶するためのメモリと、前記メモリ内に記憶された前記命令を実行するための処理ユニットとを備える少なくとも１つのコンピュータを備え、前記命令の実行は、
画像センサを有するデバイスを使用して、１つまたは複数の画像の捕捉を通じてユーザを相互作用的に誘導することであって、各画像は、前記ユーザの皮膚領域を含む、ことと、
較正された皮膚色情報を提供するように前記皮膚領域画像を処理することと、
前記較正された皮膚色情報をグランドトゥルースデータセットと比較することにより、前記グランドトゥルースデータセットにおける最も近い既知の値のセットを識別することと、
前記比較に基づいて、前記ユーザのためにカスタム化粧品調合を自動的に決定することであって、前記カスタム化粧品調合は、
（ｉ）前記最も近い既知の値のセットに対する、較正された皮膚色情報の相対的近接性に基づいて導出される一意の化合物と、
（ｉｉ）既存の化粧品製品と
のうちの少なくとも１つを備える、ことと
を含む動作を実施するように前記コンピュータを構成する、システム。
（項目３５）
前記皮膚領域画像を処理することは、前記皮膚領域画像のうちの少なくとも１つに対して、
前記少なくとも１つの皮膚領域画像内の複数の顔領域を検出することと、
皮膚の色合いに基づいて、前記顔領域を区画化することと、
皮膚の色合い、影、および鏡面ハイライトのうちの少なくとも１つに基づいて、色を各顔領域区画に割り当てることと
を含む、項目３４に記載のシステム。
（項目３６）
前記動作はさらに、前記皮膚領域画像のうちの少なくとも１つと関連付けられる周辺光情報を受信することを含み、さらに、前記少なくとも１つの皮膚領域画像は、前記周辺光情報に少なくとも部分的に基づいて、処理される、項目３４に記載のシステム。
（項目３７）
前記動作はさらに、前記デバイスの画像センサを使用して、マーカーの画像の捕捉を通じて前記ユーザを相互作用的に誘導することを含み、前記皮膚領域画像は、前記マーカー画像に少なくとも部分的に基づいて、処理される、項目３４に記載のシステム。
（項目３８）
前記動作はさらに、前記マーカー画像の捕捉の成功に基づいて、前記デバイスの画像センサの現在の設定を記憶することを含む、項目３７に記載のシステム。
（項目３９）
前記デバイスの画像センサ設定は、露光、集点、およびホワイトバランスのうちの少なくとも１つを含む、項目３８に記載のシステム。
（項目４０）
前記皮膚領域画像は、前記記憶された画像センサ設定に基づいて、処理される、項目３８に記載のシステム。
（項目４１）
前記皮膚領域画像を処理することは、未知の光源を補償することを含む、項目３４に記載のシステム。
（項目４２）
前記皮膚領域は、手首、前額、左頬、右頬、および顔全体から成る群から選択される、項目３４に記載のシステム。
（項目４３）
前記動作はさらに、前記ユーザが前記既存の化粧品製品を購入することを可能にすることを含む、項目３４に記載のシステム。
（項目４４）
前記デバイスは、携帯電話、タブレット、デジタルカメラ、ウェブカメラ、スマートグラス、テレビ、およびゲーム機から成る群から選択される、項目３４に記載のシステム。
（項目４５）
画像センサを有するデバイスを使用して、物体の正確な色を捕捉する方法であって、前記方法は、
既知のサイズを有するマーカーを使用して、前記デバイスの複数の設定を較正することと、
前記物体の複数の表面のそれぞれの色を測定することと、
前記測定された色に基づいて、前記物体の表面反射率を決定することと、
前記較正された設定、前記測定された表面色、および前記物体の表面反射率に基づいて、前記物体の表面色の変動を決定することと
を含む、方法。
（項目４６）
前記複数の表面は、皮膚の領域を含む、項目４５に記載の方法。
（項目４７）
前記デバイスは、携帯電話、タブレット、デジタルカメラ、ウェブカメラ、スマートグラス、テレビ、およびゲーム機から成る群から選択される、項目４５に記載の方法。
（項目４８）
前記マーカーは、既知の反射率を備える、項目４５に記載の方法。
（項目４９）
前記デバイスを較正することは、ユーザに、前記マーカーを実質的白地上に配置するように指図することを含む、項目４５に記載の方法。
（項目５０）
前記デバイスを較正することは、前記実質的白地の捕捉画像に基づいて、前記デバイスの開口、感度、露光時間、およびホワイトバランスのうちの少なくとも１つを設定することを含む、項目４９に記載の方法。
（項目５１）
前記デバイスを較正することは、前記デバイスの画像センサと関連付けられる光を既知の輝度に設定することを含む、項目４５に記載の方法。
（項目５２）
前記デバイスを較正することは、前記マーカーの表面から特定の距離に前記デバイスの画像センサを位置付けるようにユーザを相互作用的に誘導することを含む、項目４５に記載の方法。
（項目５３）
前記デバイスを較正することは、前記マーカーの表面から前記特定の距離における前記デバイスの画像センサの位置付けに応じて、前記デバイスの設定のうちの少なくとも１つをロックすることを含む、項目５２に記載の方法。
（項目５４）
前記デバイスの設定は、自動露光、自動集点、および自動ホワイトバランスから成る群から選択される、項目５３に記載の方法。
（項目５５）
前記デバイスの前記ロックされた設定は、前記物体の表面のそれぞれの色を測定する間、適用される、項目５３に記載の方法。
（項目５６）
前記物体の表面の色を測定することは、ユーザに、前記物体の表面に近接して前記マーカーを配置するように指図することを含む、項目４５に記載の方法。
（項目５７）
前記物体の表面の色を測定することは、ユーザを相互作用的に誘導し、前記デバイスの画像センサおよび前記物体を相互に対して位置付け、較正標的に合致させることを含む、項目４５に記載の方法。
（項目５８）
前記相互作用誘導は、音声指図を含む、項目５７に記載の方法。
（項目５９）
前記物体の表面の色を測定することは、前記マーカーから特定の距離における前記デバイスの画像センサの位置付けに応じて、前記物体の表面の色を捕捉することを含む、項目４５に記載の方法。
（項目６０）
前記物体の表面反射率を決定することは、前記捕捉された色を前記物体の表面反射率に転換することを含む、項目５９に記載の方法。
（項目６１）
物体の正確な色を捕捉するためのシステムであって、前記システムは、
コンピュータ実行可能命令を記憶するためのメモリと、前記メモリ内に記憶された前記命令を実行するための処理ユニットとを備える少なくとも１つのコンピュータを備え、前記命令の実行は、
既知のサイズを有するマーカーを使用して、デバイスの複数の設定を較正することであって、前記デバイスは、画像センサを有する、ことと、
前記物体の複数の表面のそれぞれの色を測定することと、
前記測定された色に基づいて、前記物体の表面反射率を決定することと、
前記較正された設定、前記測定された表面色、および前記物体の表面反射率に基づいて、前記物体の表面色の変動を決定することと
を含む動作を実施するように前記コンピュータを構成する、システム。
（項目６２）
前記複数の表面は、皮膚の領域を含む、項目６１に記載のシステム。
（項目６３）
前記マーカーは、既知の反射率を備える、項目６１に記載のシステム。
（項目６４）
前記デバイスを較正することは、ユーザに、前記マーカーを実質的白地上に配置するように指図することを含む、項目６１に記載のシステム。
（項目６５）
前記デバイスを較正することは、前記実質的白地の捕捉画像に基づいて、前記デバイスの開口、感度、露光時間、およびホワイトバランスのうちの少なくとも１つを設定することを含む、項目６４に記載のシステム。
（項目６６）
前記デバイスを較正することは、前記デバイスの画像センサと関連付けられる光を既知の輝度に設定することを含む、項目６１に記載のシステム。
（項目６７）
前記デバイスを較正することは、前記マーカーの表面から特定の距離に前記デバイスの画像センサを位置付けるようにユーザを相互作用的に誘導することを含む、項目６１に記載のシステム。
（項目６８）
前記デバイスを較正することは、前記マーカーの表面から前記特定の距離における前記デバイスの画像センサの位置付けに応じて、前記デバイスの設定のうちの少なくとも１つをロックすることを含む、項目６７に記載のシステム。
（項目６９）
前記デバイスの設定は、自動露光、自動集点、および自動ホワイトバランスから成る群から選択される、項目６８に記載のシステム。
（項目７０）
前記デバイスの前記ロックされた設定は、前記物体の表面のそれぞれの色を測定する間、適用される、項目６８に記載のシステム。
（項目７１）
前記物体の表面の色を測定することは、ユーザに、前記物体の表面に近接して前記マーカーを配置するように指図することを含む、項目６１に記載のシステム。
（項目７２）
前記物体の表面の色を測定することは、ユーザを相互作用的に誘導し、前記デバイスの画像センサおよび前記物体を相互に対して位置付け、較正標的に合致させることを含む、項目６１に記載のシステム。
（項目７３）
前記物体の表面の色を測定することは、前記マーカーから特定の距離における前記デバイスの画像センサの位置付けに応じて、前記物体の表面の色を捕捉することを含む、項目６１に記載のシステム。
（項目７４）
前記物体の表面反射率を決定することは、前記捕捉された色を前記物体の表面反射率に転換することを含む、項目７３に記載のシステム。